(57)【要約】【課題】基材面から剥離している壁材を効率的に修復する外壁修復方法を提供する。【解決手段】本発明の外壁修復方法は、外壁を修復する外壁修復方法であって、外壁は、基材層と、基材層の表面である基材面に形成された接着層と、接着層の表面である壁面に取り付けられた壁材を備え、壁材の表面から接着層を貫通して基材層に到達する注入孔を穿孔する穿孔工程と、注入孔に、充填剤を注入可能な注入器を装着する装着工程と、注入器から基材面と接着層との間の空隙に、充填剤を注入する注入工程と、空隙に注入された充填剤が固化する固化工程と、を備える。【選択図】図４
2019157335.tif 000002
【特許請求の範囲】
【請求項１】
外壁を修復する外壁修復方法であって、
前記外壁は、
基材層と、
前記基材層の表面である基材面に形成された接着層と、
前記接着層の表面である壁面に取り付けられた壁材を備え、
壁材の表面から接着層を貫通して基材層に到達する注入孔を穿孔する穿孔工程と、
前記注入孔に、充填剤を注入可能な注入器を装着する装着工程と、
前記注入器から前記基材面と前記接着層との間の空隙に、前記充填剤を注入する注入工程と、
前記空隙に注入された前記充填剤が固化する固化工程と、を備える、外壁修復方法。
【請求項２】
前記外壁において、前記基材層と前記接着層の間に空隙が生じており、
当該空隙により、前記接着層と前記壁材が一体として剥離している、請求項１記載の外壁修復方法。
【請求項３】
前記注入器は、前記充填剤を低圧で注入する、請求項１または２記載の外壁修復方法。
【請求項４】
前記充填剤は、低濃度である、請求項１から３のいずれか記載の外壁修復方法。
【請求項５】
前記壁面は、複数の前記壁材を取り付けており、
前記複数の壁材は、間隔部をおいて配置されており、
前記注入工程の前に、前記間隔部の表面に蓋をする蓋形成工程を更に備える、請求項１から４のいずれか記載の外壁修復方法。
【請求項６】
前記蓋は、樹脂によって形成される、請求項５記載の外壁修復方法。
【請求項７】
前記空隙の生じている部位を検出する、空隙検出工程を更に備える、請求項１から６のいずれか記載の外壁修復方法。
【請求項８】
前記注入工程の前において、前記空隙領域に対応する部分において、前記壁材から前記基材層までに到達する固定部材を取り付ける固定工程を、更に備える、請求項１から７のいずれか記載の外壁修復方法。
【請求項９】
前記固定部材は、前記空隙領域に対応する前記接着層と前記壁材を、前記基材層に押し付ける圧力を付与する、請求項８記載の外壁修復方法。
【発明の詳細な説明】
【技術分野】
【０００１】
本発明は、経年劣化や外的要因などで基材面から浮いたり剥離したりしている壁材を修復する、外壁修復方法に関する。
【背景技術】
【０００２】
我が国を始め、世界中には多くの建造物がある。集合住宅やビルなどの建造物は、その壁面にタイルやセラミックなどの壁材を備えている。これらの壁材は、タイルなどに代表されるように、複数の壁材として、壁面に取り付けられている。例えば、これらの壁材は、モルタルや接着剤によって壁面に固定されている。
【０００３】
これらタイルなどの複数の壁材が壁面に取り付けられることにより、建造物の外壁が構成される。多くの建造物は、基材としてのコンクリートなどの基材面の上に、接着層が塗布されて壁面が形成され、この壁面に壁材が取り付けられる。この接着層が、モルタルなどである。
【０００４】
しかしながら、これら複数の壁材は、立地環境、建物の設計、タイルの選定、施工時の天候、施工不良などや、固定されてからの時間経過によって、固定が弱まったり、地震や車両通行など外力による振動などの外的要因を起因としたりして、壁面から浮いた状態になったり剥離しかかったりすることがある。特に、集合住宅やビルなどには、多量の壁材が取り付けられており、風雨にさらされたり日光にさらされたりすることで、複数の壁材の一部やいずれかが浮いたり剥離しかかったりすることがある。
【０００５】
このように、浮いたり剥離しかかったりしている壁材を放置することは、壁材の落下に繋がることになり非常に危険である。このため、浮いている壁材を固定することが行われている。この固定には、様々なやり方があるが、例えば、浮いている壁材に孔を開け（壁面にまで孔を貫通させる）、この孔にボルトなどを挿入して、壁材が固定される。
【０００６】
このような壁材に穿孔した後で、ボルトなどで固定する固定装置や固定方法については、種々の技術が提案されている。その中でも、例えば、浮きのある壁材に孔を開け、この孔の中にグリスガンなどで接着剤を注入して、アンカーピンを接着剤で固定して壁材を固定する技術が提案されている（例えば、特許文献１、特許文献２参照）。
【先行技術文献】
【特許文献】
【０００７】
【特許文献１】特開２００６−２１９９７０公報
【特許文献２】特開２００７−１２０２７３号公報
【発明の概要】
【発明が解決しようとする課題】
【０００８】
特許文献１、２に開示される技術は、上述のように接着剤を用いて壁材を貫通するアンカーピンを固定することで、浮きのある壁材を固定する。タイルなどの壁材に穴を空けて、ここにアンカーピンを挿入する。このとき、接着剤も挿入しておくことで、アンカーピンを固定する。このアンカーピンが固定されることで、浮いたり剥離したりしているタイルなどの壁材を、壁面に固定することができる。
【０００９】
しかしながら、壁面には大量の壁材が貼り付けられており、これらの内で、問題のある壁材を選び出すのは非常な手間である問題がある。また、問題のある壁材のみに固定作業を行うことも、非常な手間となる問題がある。加えて、問題ある壁材を把握する精度の低さにより、問題ある壁材を確実に修復できない問題もあり得る。
【００１０】
また、特許文献１や特許文献２は、接着層であるモルタル層の表面である壁面からタイルなどの壁材が浮いている場合に対応する技術である。このような場合には、一つ一つの壁材をアンカーピンで固定することが有効である。
【００１１】
しかしながら、実際の建造物においては、接着層の表面である壁面から壁材が浮いているのではなく、コンクリートなどの基材部分の表面である基材面から浮いていることが多い。すなわち、接着層と壁材とが一体のままで、基材面から浮いてしまっていることが多い。
【００１２】
このような場合においては、アンカーピンで固定するだけでは不十分である問題もある。
【００１３】
また、タイルなどの壁材の一つ一つが浮いているのではなく、複数のタイルがまとまって接着層と一緒に基材面から浮いている状態である。このような場合に、分離していないタイルなどの壁材一つ一つにアンカーピンを打ち込んで修復することは極めて非効率である。非効率であるがゆえに、修復のコストが嵩んだり、修復工事がすべてに行き届かない問題もある。
【００１４】
特に、我が国では２０、３０年前に建てられた集合住宅が多数あり、現在では、これらの外壁修復が必要な事態となっている。多くの建造物の外壁を修復していかなければならない状態で、修復コストや手間がかかってしまう現状を改善する必要がある。
【００１５】
本発明は、これらの課題に鑑み、基材面から剥離している壁材を効率的に修復する外壁修復方法を提供することを目的とする。
【課題を解決するための手段】
【００１６】
上記課題に鑑み、本発明の外壁修復方法は、外壁を修復する外壁修復方法であって、
外壁は、
基材層と、
基材層の表面である基材面に形成された接着層と、
接着層の表面である壁面に取り付けられた壁材を備え、
壁材の表面から接着層を貫通して基材層に到達する注入孔を穿孔する穿孔工程と、
注入孔に、充填剤を注入可能な注入器を装着する装着工程と、
注入器から基材面と接着層との間の空隙に、充填剤を注入する注入工程と、
空隙に注入された充填剤が固化する固化工程と、を備える。
【発明の効果】
【００１７】
本発明の外壁修復方法は、基材面から接着層と一体となって浮いたり剥離したりしている壁材を、領域ごとにまとめて修復できる。壁材の外部から基材面と接着層との間の空隙に充填剤を充填することで作業ができるので、作業効率が高い。
また、充填剤を充填する際に、充填剤の圧力によって壁材が浮いたりすることを防止する対応を取ることで、作業精度を上げることもできる。
基材面から浮いている壁材を、空隙のある領域ごとにまとめて修復できることで、修復コストを下げつつ作業の手間を下げることができる。結果として、修復工事が行き届くメリットがある。
【図面の簡単な説明】
【００１８】
【図１】ある建造物の外壁の一部において、壁材であるタイルが外れた状態を示す写真である。
【図２】外れた壁材の写真である。
【図３】外れた壁材の写真である。
【図４】本発明の実施の形態１における外壁修復方法の全体像を示す模式図である。
【図５】本発明の実施の形態１における外壁修復方法のフローチャートである。
【図６】本発明の外壁を示す模式図である。
【図７】本発明の実施の形態１における修復作業の最初の状態を示す模式図である。
【図８】本発明の実施の形態における穿孔工程を行った外壁の表面を示す模式図である。
【図９】本発明の実施の形態における蓋形成構成を行った外壁の模式図である。
【図１０】本発明の実施の形態における装着工程および注入工程を示す外壁の模式図である。
【図１１】本発明の実施の形態における充填剤の注入工程の続きを示す、外壁の模式図である。
【図１２】本発明の実施の形態における充填剤の注入の最終状態を示す外壁の模式図である。
【図１３】本発明の実施の形態における修復作業の最終状態を示す外壁の模式図である。
【図１４】、本発明の実施の形態における外壁修復方法のフローチャートである。
【発明を実施するための形態】
【００１９】
本発明の第１の発明に係る外壁修復方法は、外壁を修復する外壁修復方法であって、
外壁は、
基材層と、
基材層の表面である基材面に形成された接着層と、
接着層の表面である壁面に取り付けられた壁材を備え、
壁材の表面から接着層を貫通して基材層に到達する注入孔を穿孔する穿孔工程と、
注入孔に、充填剤を注入可能な注入器を装着する装着工程と、
注入器から基材面と接着層との間の空隙に、充填剤を注入する注入工程と、
空隙に注入された充填剤が固化する固化工程と、を備える
【００２０】
この構成により、基材層と接着層のとの間に生じる空隙を、容易かつ確実に充填して修復できる。
【００２１】
本発明の第２の発明に係る外壁修復方法では、第１の発明に加えて、外壁において、基材層と接着層の間に空隙が生じており、
当該空隙により、接着層と壁材が一体として剥離している。
【００２２】
この構成により、基材層と接着層との間の空隙を解消することが適切である。
【００２３】
本発明の第３の発明に係る外壁修復方法では、第１または第２の発明に加えて、注入器は、充填剤を低圧で注入する。
【００２４】
この構成により、充填剤の注入において空隙から壁材などが浮いてしまうなどの問題を防止できる。
【００２５】
本発明の第４の発明に係る外壁修復方法では、第１から第３のいずれかの発明に加えて、充填剤は、低濃度である。
【００２６】
この構成により、充填剤の注入における圧力を上げすぎるのを防止できる。
【００２７】
本発明の第５の発明に係る外壁修復方法では、第１から第４のいずれかの発明に加えて、壁面は、複数の壁材を取り付けており、
複数の壁材は、間隔部をおいて配置されており、
注入工程の前に、間隔部の表面に蓋をする蓋形成工程を更に備える。
【００２８】
この構成により、充填剤の注入によって間隔部から充填剤が漏出したり、間隔部が圧力によって破壊されたりすることを防止できる。
【００２９】
本発明の第６の発明に係る外壁修復方法では、第５の発明に加えて、蓋は、樹脂によって形成される。
【００３０】
この構成により、蓋の形成が容易であり、後で取り外すことも容易である。
【００３１】
本発明の第７の発明に係る外壁修復方法では、第１から第６の発明に加えて、空隙の生じている部位を検出する、空隙検出工程を更に備える。
【００３２】
この構成により、空隙を検出して修復作業を容易とできる。
【００３３】
本発明の第８の発明に係る外壁修復方法では、第１から第７のいずれかの発明に加えて、注入工程の前において、空隙領域に対応する部分において、壁材から基材層までに到達する固定部材を取り付ける固定工程を、更に備える。
【００３４】
この構成により、充填剤の注入時において、注入圧力によって壁材が浮いてしまうなどの問題も生じさせない。
【００３５】
本発明の第９の発明に係る外壁修復方法では、第８発明に加えて、固定部材は、空隙領域に対応する接着層と壁材を、基材層に押し付ける圧力を付与する。
【００３６】
この構成により、充填剤の注入時において、注入圧力によって壁材が浮いてしまうなどの問題も生じさせない。
【００３７】
以下、図面を参照しながら、本発明の実施の形態を説明する。
【００３８】
（実施の形態）
【００３９】
（発明者による解析）
建造物の外壁における剥離などの問題について、発明者の解析を説明する。多くの建造物は、基本部分である基材を有している。いわゆるコンクリートなどで形成されている外形である。すなわち、このコンクリートで形成されている基本部分が基材層である。この基材層の表面に接着層が形成される。この接着層は、外壁の一番の表面であるタイルなどの壁材を接着するための層である。この接着層は、モルタルなどで形成される。
【００４０】
この接着層の表面に、タイルなどの壁材が取り付けられて、外壁表面は、タイルなどの壁材で覆われるようになる。このようにして建造物の外壁が構成される。
【００４１】
この外壁は、外界にさらされているために、風雨や物理的衝撃を受ける。これに加えて経年劣化も生じる。このような外部影響と経年劣化などによって、壁材が浮いたり剥離したりすることが生じてしまう。剥離や浮きなどが放置されると、タイルなどの壁材が外れてしまうことが生じる。
【００４２】
このため、剥離や浮きが生じている壁材を検査して、必要に応じて落下前に取り外すなどの予防作業が行われることがある。あるいは、実際に落下してしまうこともある。
【００４３】
ここで、壁材の剥離としては、タイルなどの壁材の裏面の破断、壁材と接着層の剥離、接着層と基材層との剥離などがあり得る。これらは、設計上の原因があることがある。例えば、壁材の選択ミスなどである。あるいは、施工上の原因がある。例えば、基材層であるコンクリートの汚れや、接着層であるモルタルの汚れや整備不良などである。もちろん、壁材を押さえる圧着不足の問題もある。
【００４４】
図１は、ある建造物の外壁の一部において、壁材であるタイルが外れた状態を示す写真である。外壁の一部が外れてしまっている。
【００４５】
ここで、発明者が解析する前においては、タイルなどの壁材が、接着層の上から剥離して外れるものと考えられていた。すなわち、接着層の表面と壁材との接着面の接着力が弱くなって、壁材が外れるものと考えられていた。すなわち、壁材であるタイルが、接着層から剥離して外れるものであると考えられていた。
【００４６】
このため、剥離しかかっているタイルなどの壁材の一つずつに対して補修を行うことが行われていた。例えば、壁材の一つ一つに、表面から貫通孔をあけて固定ピンで固定するなどの作業が行われていた。これらの作業は、非常に手間が掛かり、コストもかさむ問題があった。
【００４７】
一方で、多くの国において、多数のマンションやビルなどの大型建造物が建てられており、毎年多くの建造物が、大規模改修などのメンテナンス時期を迎えている。しかし、このようなメンテナンス作業を行う職人が減っている事情もあり、上述のような壁材一つずつの補修を行うことが難しくなっている。
【００４８】
発明者は、剥離あるいは外れた壁材と外壁とを入念に調査したところ、接着層の表面から壁材が外れているのではなく、壁材と接着層が一体となって、基材層の表面から外れていることを確認した。図１における壁材が外れている範囲においては、いずれも基材層の表面から、接着層と壁材とが一緒になって外れている。
【００４９】
図２、図３は、外れた壁材の写真である。図２、図３の写真から分かるように、壁材であるタイルの裏面に接着層であるモルタルが付いたままで外れている。壁材であるタイルが独立して外れているものではない。このように、タイルなどの壁材が接着層の表面から独立して剥離したり浮いたりしているのではなく、基材層の表面から接着層と一体となって剥離したり浮いたりしていることが、発明者の解析によって確認された。
【００５０】
発明者は、この解析に基づいて、タイルなどの壁材の一つ一つを補修するのではなく、基材層と接着層との間に生じている剥離を補修することが適切であるとの発明に至った。この基材層と接着層の間に生じている剥離を補修することで、本質的な修復が可能となるからである。加えて、壁材一つずつを修復作業する手間を省くことができ、今後起こりうる多くの建造物の大規模修繕において効率的であるからである。
【００５１】
（全体概要）
本発明の外壁修復方法の全体概要について説明する。図４は、本発明の実施の形態１における外壁修復方法の全体像を示す模式図である。図５は、本発明の実施の形態１における外壁修復方法のフローチャートである。図４は、修復対象となる外壁と、外壁を修復する際に必要となる機器を合わせて示している。図５は、この図４の状態での外壁修復の処理手順をフローチャートとして表している。
【００５２】
外壁１０は、基材層１、接着層２、壁材３で構成されている。基材層１は、建造物の外形を形成する。コンクリートなどで形成される。接着層２は、基材層１の表面に設けられ、モルタルなどの壁材４を接着可能な素材である。なお、接着層２は、１層であっても２層であってもよい。
【００５３】
壁材３は、タイルなどである。壁材３は、接着層２の表面に取り付けられている。このとき、タイル同士の間隔においては、目地が詰められている。接着２３の表面は、壁面となっており、この壁面に壁材３が取り付けられる。接着層２の接着能力によって、壁材３が取り付けられる。なお、壁材３は、タイル目地などの部分も含む概念である。
【００５４】
ここで、図４では、基材層１と接着層２との間に剥離である空隙４が生じている状態を示している。この空隙４が生じることで、図１〜図３で説明したように、壁材３は接着層２と一体となって外れてしまう。
【００５５】
壁材３の表面から、注入孔５が設けられている。これは図５の穿孔工程ＳＴ１によって形成される。この注入孔５の入り口に、注入器６が装着される。この注入器６の装着は、図５の装着工程ＳＴ２によって行われる。
【００５６】
注入器６は、内部に充填剤７を収容している。注入器６は、注入孔５の入り口に装着されており、注入器６が圧力を加えることで、充填剤７を注入孔５に注入することができる。この注入孔５は、空隙４に繋がっている。この結果、注入孔５に注入された充填剤７は、空隙４にも注入されて充填されていく。これは、図５の注入工程ＳＴ３である。
【００５７】
図４では、空隙４の一部に充填剤７が充填されている途中状態を示している。空隙４全体に、注入工程ＳＴ３によって、充填剤７が充填されていく。
【００５８】
空隙４に注入された充填剤７は化学反応により固化する。この固化によって、充填剤７が空隙４を充填すると共に空隙４による剥離を戻すことができる（基材層１と接着層２とを、元通りの接着状態とできる）。これによって、基材層１の表面の剥離が無くなる。
【００５９】
図５においては、この外壁修復方法の手順が示されている。
【００６０】
穿孔工程ＳＴ１にて、壁材３の表面から接着層２を貫通して基材層１に到達する注入孔５が形成される。図４の注入孔５は、このステップＳＴ１の穿孔工程で形成される。注入孔５が、壁材３から基材層１に到達することで、基材層１と接着層２との間の空隙に、充填剤７を導くことができる。
【００６１】
次いで、装着工程ＳＴ２にて、注入孔５の入り口に注入器６が装着される。図４では、装着後の状態が示されている。注入器６は、内部に充填剤７を収容しており、圧力をかけることで、充填剤７を注入孔５内部に注入することができる。
【００６２】
また、注入器６は、修復する外壁１０の形状や大きさによって、使用される種類が変えられれば良い。
【００６３】
次いで、注入工程ＳＴ３にて、注入器６から注入孔５に充填剤７が注入される。ここで、注入孔５は、基材層１に到達しているので、基材層１と接着層２との間に生じている空隙４にも、充填剤７を導くことができる。この結果、注入工程ＳＴ３によって、空隙４に充填剤７が充填される。結果として、空隙４全体に充填剤７が充填される状態となる。
【００６４】
最後に、固化工程ＳＴ４にて、注入された充填剤７が固化する。固化によって、空隙４の修復が完了する。空隙４が充填されて、基材層１と接着層２との間の空隙が消失して、剥離や浮きが解消されるからである。
【００６５】
次に、各部の詳細やバリエーションについて説明する。
【００６６】
（空隙）
図１〜図４で説明したように、壁材３は接着層２と一体として、基材層１の表面から剥離したり浮いたりしている。このため、壁材３が外れてしまう場合には、基材層１の表面から外れてしまう。すなわち外壁１０において、基材層１と接着層２との間に空隙４が生じている。
【００６７】
この空隙４が生じていることで、壁材３と接着層２とが一体となって剥離する。
【００６８】
この空隙４に上述の通り、充填剤７が充填されて固化することで、空隙４が補修される。言い換えれば、補修されることで、空隙による壁材３の落下などが防止される。
【００６９】
（注入器）
注入器６は、注入孔５に装着される。この装着によって、注入器６は、充填剤７を注入孔５を介して注入できる。このとき、注入器６は、充填剤７を低圧で注入する。低圧で注入することで、空隙４に対して注入圧力を過度にかけすぎずに済む。
【００７０】
充填剤７が注入される際には、注入器６が圧力を加えて充填剤７を注入する。この圧力を有した状態で、充填剤７が入り込んでいく。この圧力によって、充填剤７が空隙４に圧力を加えてしまう。このとき、空隙に充填剤７の圧力が加わり、空隙４の上にある接着層２や壁材１に対して、表面側に向けた圧力が加わってしまう。
【００７１】
この圧力の加わり方によっては、空隙４の表面にある壁材３が外れてしまうこともあり得る。充填剤７を充填することによる圧力付与のデメリットの可能性である。
【００７２】
これに対応するために、注入器６による充填剤７の注入時の圧力が低いことが好適である。低圧で注入することで、上述のような空隙４の表面の壁材３などが外れてしまうことが防止できる。
【００７３】
このように、注入器６は、低圧で充填剤７を注入することも好適である。また、注入器６は、手動で充填剤７を注入してもよいし、自動で充填剤７を注入してもよい。注入孔５の入り口に装着されると、自動で圧力が付与されて、注入器５が充填剤７を注入孔５内部に注入していく。
【００７４】
注入器６の大きさは、修復対象の外壁１０の形態、大きさなどによって定まればよい。また、一つの空隙４に対して、一つの注入孔５が穿たれて一つの注入器６が使用されてもよいし、あるいは、一つの空隙４に対して、複数の注入孔５が穿たれてそれぞれに対応する複数の注入器６が使用されてもよい。
【００７５】
後者の場合には、空隙４が大きい場合に、効率的な修復作業が可能となる。
【００７６】
（注入孔）
注入孔５は、壁材３の上から基材層１に到達するところまで穿たれる。ドリルやその他の器具で壁材３の表面から注入孔５が穿たれればよい。注入孔５は、基材層１にまで到達することで、注入孔５は、空隙４と確実に連通できる。この連通によって、注入孔５の入り口から注入された充填剤７は、空隙４に注入される。
【００７７】
なお、注入孔５は、上述のように複数穿たれてもよい。
【００７８】
（充填剤）
充填剤７は、予め注入器６に収容されている。充填剤７は、液状樹脂などであって、注入時には液状であることで、充填が可能である。更に、充填後には固化して固定材として機能する。
【００７９】
このように、使用時には液状やゲル状であり、使用後に固化する機能をもつものであれば、様々な素材が充填剤７として用いられる。
【００８０】
ここで、充填剤７は、低濃度であることが好ましい。低濃度であることで、空隙４に充填される際に、空隙４に高すぎる圧力を付与することを防止できるからである。
【００８１】
空隙４においては、基材層１から接着層２と壁材３が浮いている状態である。空隙４に注入される充填剤７の濃度が高いと、この浮いている状態に対して高い圧力を付与してしまう。この高い圧力の付与によって、充填剤７の充填中において壁材３が外れてしまうなどの問題が生じてしまう。
【００８２】
充填剤７が低濃度であることで、高すぎる圧力が付与されずに、このような問題を防止できる。
【００８３】
（蓋）
図６は、本発明の外壁を示す模式図である。図６に示すように、外壁１０は、その表面に壁材３を備えている。ここで、壁材３は、接着層２の表面である壁面に取り付けられる。このとき、壁面には、複数の壁材３が取り付けられる。図６に示されるように、タイルなどの部材が壁材３となって、複数の壁材３が取り付けられる。タイルなどは、複数のタイルが１セットとなったユニットが接着層２に貼り付けられることも多い。
【００８４】
このとき、複数の壁材３のそれぞれは間隔部３１を置いて配置される。間隔部３１を開けながら、複数の壁材３のそれぞれが配置されて取り付けられる。網の目のような状態である。
【００８５】
ここで、この間隔部３１においては、接着層２に繋がる壁材３の目地が存在する。壁材３そのものはない状態である。。このような間隔部３１および壁材３の内側に、空隙４が生じている。このため、この空隙４に充填剤７が充填される際には、間隔部３１から充填剤７があふれ出る可能性もある。
【００８６】
あるいは、充填剤７の圧力が間隔部３１に加わって、空隙４によって剥離している壁材３が外れてしまう懸念もある。
【００８７】
このため、図４に示されるように、間隔部３１の表面に蓋９が形成されることも好適である。すなわち、蓋形成工程が更に備わる。蓋形成工程は、注入工程の前に行われればよい。注入工程の前であれば、穿孔工程や装着工程のいずれとの順番は問わない。
【００８８】
蓋形成工程によって、間隔部３１に蓋９が形成されることで、充填剤７を充填する際に、上述のような問題が生じにくくなる。蓋９は、一般的な樹脂やエポキシ樹脂などで形成されればよく、作業後には容易に取り外し可能であればよい。また、蓋９は、間隔部３１を封止することができればよいので、吹き付け作業で形成されることも好適である。
【００８９】
（作業手順）
作業手順の詳細を説明する。
【００９０】
（１：作業開始前）
図７は、本発明の実施の形態１における修復作業の最初の状態を示す模式図である。図７は、外壁１０の内部において、基材層１と接着層２との間に空隙４が生じている状態をしめしている。このような空隙４を放置すると、空隙４が更に大きくなったりして、空隙４から壁材３が接着層２と一体となって落下するなどの危険性がある。
【００９１】
作業においては、様々な手順で、空隙４の存在を検出する。例えば、打音検査などで、空隙４を検出する空隙検出工程を備えることで、空隙４を検出すればよい。作業開始においては、この空隙検出工程で空隙４の検出が行われている。
【００９２】
この空隙検出工程によって空隙４の存在が検出されることで、外壁１０の修復作業が開始される。
【００９３】
（２：注入孔などの形成）
図８は、本発明の実施の形態における穿孔工程を行った外壁の表面を示す模式図である。図７の次の作業が行われた状態を、同じ外壁１０において、図８は示している。
【００９４】
穿孔工程ＳＴ１によって、注入孔５が形成される。図８では、空隙４に対応する領域に、２か所の注入孔５が形成される。更に穿孔工程ＳＴ１において、空隙４に充填剤７を充填する際の空隙４からの空気を抜く孔である空気抜き孔２１も形成されることも好適である。
【００９５】
空気抜き孔２１は、注入孔５から充填剤７が注入されるのに合わせて、空隙４が充填されていく際にもともとあった空気を抜いていく。これにより、充填剤７が、高すぎる圧力を付与することなく、空隙４に充填できるようになる。
【００９６】
また、穿孔工程ＳＴ１において、後述する固定部材を取り付けるための固定部材用孔２０が形成されることも好適である。固定部材は、空隙４の対応する部分において、壁材３から基材層１まで到達して、空隙領域における壁材３を押さえる役割を果たす。例えば、アンカーピンやねじなどが、壁材３の表面から基材層１にまで到達して、壁材３を固定する。
【００９７】
また、穿孔工程ＳＴ１において設けられた注入孔５に、注入口付のアンカーピンが挿入されることもある。このアンカーピンは、壁材３を押さえる役割も果たす。このアンカーピンの注入口から、充填剤７が注入されることでもよい。この場合には、アンカーピンが、壁材３を基材層１に固定しながら、空隙４に充填剤７を、アンカーピンを介して注入することもできる。
【００９８】
この固定部材を挿入するための孔として、固定部材用孔２０が形成されることも好適である。図８では、このような固定部材用孔２０が形成されている状態が示されている。
【００９９】
（３：蓋形成工程）
図９は、本発明の実施の形態における蓋形成構成を行った外壁の模式図である。図９は、図８の後の工程が終わった状態を示している。図８と同じ外壁１０を対象とした状態を示している。
【０１００】
穿孔工程ＳＴ１にて、注入孔５や他の孔が形成されると、蓋形成工程が実施される。図９に示されるように、間隔部３１を有した状態で、複数の壁材３が壁面に取り付けられる。この間隔部３１の表面に蓋形成工程によって、蓋９が形成される。蓋９は、上述したように、充填剤７が充填される際の圧力に対応して、間隔部３１から充填剤７が漏れたり、充填剤７によって破損したりすることを防止できる。
【０１０１】
蓋９は、樹脂などが、間隔部３１にそって吹き付けられたり塗布されたりして、形成される。この樹脂などは、修復作業後に取り外すことができる。
【０１０２】
（４：装着工程および注入工程）
図１０は、本発明の実施の形態における装着工程および注入工程を示す外壁の模式図である。蓋形成工程によって蓋９が形成された後で、注入孔５に注入器６が装着される。注入器６は、充填剤７を収容している。このような状態の注入器６が、形成されていた注入孔５の入り口に装着される。
【０１０３】
図１０においては、固定部材用孔２０に、固定部材１１が挿入されている。この固定部材１１は、アンカーピン、ねじ、ビスなどの壁材３を基材層１に固定できる部材である。固定部材１１が挿入されることで、空隙４において押さえが加わっている。
【０１０４】
この押さえによって、空隙４に充填剤７が充填される場合でも、圧力によって空隙４の領域に対応する壁材３が浮いたり外れたりすることが防止できる。
【０１０５】
図１０では、注入孔５が２か所に形成されているので、この２か所のそれぞれに注入器６が装着される。このとき、同時に２つの注入器６が装着されてもよいし、順々に装着されてもよい。図１０では、下方の注入孔５に注入器６が装着され、真ん中の注入孔５にも注入器６が装着されている。
【０１０６】
注入器６のそれぞれは、内部に充填剤７を収容しており、自動あるいは手動で圧力が付与されて、充填剤７を注入できる。
【０１０７】
図１０においては、空隙４が下方から上方に向けて広がっている。この空隙４に対して、下方と真ん中付近に注入器６が装着されている。このため、まずは、下方の注入孔５に装着された注入器６から充填剤７が注入されるのが好適である。
【０１０８】
空隙４に充填される充填剤７は、重力との関係で下方に充填されやすく、空隙４の下方から充填していくことが、好適であるからである。図１０では、まず下方の注入器６から空隙４に充填剤７が注入されている様子が示されている。
【０１０９】
また、上述のように、固定部材１１が取り付けられているので、充填剤７が充填される際に、空隙４に対応する領域の壁材３が浮いたり外れたりすることが防止できる。固定部材１１は、空隙４の領域に対応する接着層２と壁材３とを、基材層１に押し付ける圧力を付与できるからである。
【０１１０】
この押し付け圧力によって、壁材３の浮きなどを防止しつつ、下方の注入器６から充填剤７が、空隙４の下方に充填されていく。これに合わせて、次第に空隙４に充填剤７が溜まっていく。
【０１１１】
（５：充填剤の注入工程）
図１１は、本発明の実施の形態における充填剤の注入工程の続きを示す、外壁の模式図である。図１０の続きの状態を示している。
【０１１２】
図１１では、下方の注入器６からの充填剤７の注入が終わり、真ん中の注入器６からの充填剤７の注入が開始される。空隙４の下方には、充填剤７が充填された後なので、真ん中の注入器６から充填剤７が注入される。
【０１１３】
真ん中の注入器６から充填剤７が注入されることで、空隙４の内部に更に充填剤７が注入されていく。この注入によって、空隙４内部に次第に充填剤が充填されていく。
【０１１４】
また、上述したように、空気抜き孔２１から空隙４内部の空気が抜けていくことで、注入はスムーズに行われる。また、注入圧力を低くすることもできる。充填剤７の粘度が低いこととあいまって、空隙４に充填する際の圧力による影響を防止できる。これは、固定部材１１による固定および蓋９によっても合わせて実現される。
【０１１５】
このようにして、空隙４に充填されていく過程で、壁材３が外れるなどの問題を生じさせない。
【０１１６】
（６：充填剤の充填）
図１２は、本発明の実施の形態における充填剤の注入の最終状態を示す外壁の模式図である。図１１の後の工程を、図１２は、示している。
【０１１７】
図１２では、空気抜き孔２１として穿たれていた孔を、注入孔５として利用して、注入器６を装着する。注入器６は、この空気抜き孔２１から充填剤７を、空隙４に注入する。
【０１１８】
この注入によって、充填剤７が、空隙４の残りの部分にも注入されて、充填剤７が、完全に充填される。図１２では、空隙４の全てに充填剤７が行きわたった状態が示されている。
【０１１９】
このように空隙４に充填剤７が充填されることで、空隙４が充填剤７によって埋められる。この結果、空隙４が空隙ではなくなる状態となる。充填剤７が、空隙４をすべて埋めてしまうからである。
【０１２０】
充填剤７は、時間の経過と共に固化していく。
【０１２１】
（７：最終工程）
図１３は、本発明の実施の形態における修復作業の最終状態を示す外壁の模式図である。図１２において、注入工程および固化工程が終了すると、空隙４の充填剤７による修復が完了する。図１３は、この図１２の後の状態を示している。
【０１２２】
図１３においては、空隙４の全体に充填剤７が充填されている。充填剤７を注入する複数の注入孔５から、順々に充填剤７が空隙４を全体にいきわたっている。この行きわたりによって、空隙４の全体が充填剤７で埋められることとなる。
【０１２３】
この際に、注入器６が取り外されて、更に蓋９も取り外される。これらの結果、外壁１０の表面は、余分な部材が取り外された状態となる。この間に、固化工程が進行して、注入された充填剤７が固化する。固化によって、充填剤７が空隙４を固定する。この固定によって、基材層１から浮いたり剥離していた状態が解消される。
【０１２４】
このようにして、外壁修復が完了する。
【０１２５】
図１４は、本発明の実施の形態における外壁修復方法のフローチャートである。図７〜図１３で説明した外壁修復方法全体の作業手順を示すフローチャートである。図５のフローチャートに、蓋形成工程ＳＴ６と固定工程ＳＴ５が追加されている状態を示している。
【０１２６】
なお、工程によっては、順序が入れ替わっても問題ない部分もある。
【０１２７】
外壁修復方法は、図１４のようなフローチャートで作業されることで、適切に修復される。発明者が解析したように、外壁１０においては、基材層１の表面と接着層２との間に空隙４が生じている。この空隙４によって、基材層１の表面から、接着層２と壁材３とが一緒になって外れたり落下してしまう状況があった。
【０１２８】
本発明の外壁修復方法によって、この空隙４が充填剤７で修復されて解消される。更に、充填剤７の充填時に、注入圧力による影響も防止できる。
【０１２９】
このような結果、複数の壁材３の一つ一つを固定して修復するなどの手間が省け、問題を本質的にかつ容易に解決できる。また、打音検査や超音波検査を利用して、空隙４を検出する空隙検出工程が行われてから、外壁修復方法による作業が実施されてもよい。
【０１３０】
なお、実施の形態で説明された外壁修復方法は、本発明の趣旨を説明する一例であり、本発明の趣旨を逸脱しない範囲での変形や改造を含む。
【符号の説明】
【０１３１】
１    基材層
２    接着層
３    壁材
５    注入孔
６    注入器
７、８    充填剤
９    蓋
１０    外壁
１１    固定部材
２０    固定部材用孔
２１    空気抜き孔
【図１】
2019157335.tif 000003
【図２】
2019157335.tif 000004
【図３】
2019157335.tif 000005
【図４】
2019157335.tif 000006
【図５】
2019157335.tif 000007
【図６】
2019157335.tif 000008
【図７】
2019157335.tif 000009
【図８】
2019157335.tif 000010
【図９】
2019157335.tif 000011
【図１０】
2019157335.tif 000012
【図１１】
2019157335.tif 000013
【図１２】
2019157335.tif 000014
【図１３】
2019157335.tif 000015
【図１４】
2019157335.tif 000016